(57)【要約】【課題】  輝度信号の変動が少なく、観察者にとって観やすい画像を表示する。【解決手段】  輝度制御信号生成回路２２が、輝度データPSSに生じている変動が不感指定値PLE_H以上であるときにはルックアップテーブル４１によって変換された補正前輝度制御信号PSSC_selを輝度制御信号PSSCとして出力し、輝度データPSSに生じている変動が不感指定値PLE_H未満であるときにはメモリ４３に記憶されている前画面輝度制御信号PSSC_pを輝度制御信号PSSCとして出力する。そして、時定数回路２３が輝度制御信号PSSCの時定数を変化させる。駆動回路１２は、時定数回路２３から出力された輝度制御信号PSSCに基づいて、表示パネル１１を駆動する。【選択図】  図１
2005234378.tif 000002
【特許請求の範囲】
【請求項１】
画像を表示する表示パネルと、
画像信号に基づいて上記表示パネルを駆動して、上記表示パネルに画像を表示させる駆動手段と、
上記駆動手段に供給された１画面分の画像信号に含まれる輝度信号の平均値である輝度データを生成する輝度データ生成手段と、
上記輝度データ生成部によって生成された輝度データの信号レベルの微小変動を検出する微小変動検出手段と、
上記輝度データ生成手段によって生成された輝度データに基づいて、上記輝度信号を制御する輝度制御信号を生成する輝度制御信号生成手段と、
上記輝度制御信号生成手段によって生成された輝度制御信号の出力を制御する輝度制御信号出力制御手段とを備え、
上記輝度制御信号出力制御手段は、上記輝度制御信号生成手段が、上記表示パネルに対する画像の表示が開始とされてからｎ（但し、ｎは自然数。）回目に上記輝度データを作成したときに、上記微小変動検出手段によって輝度データの信号レベルの微小変動が検出されない場合には、上記輝度制御信号生成手段がｎ回目に生成した輝度制御信号を出力し、上記微小変動検出手段によって輝度データの信号レベルの微小変動が検出された場合には、当該輝度制御信号出力制御手段が（ｎ−１）回目に出力した輝度制御信号を出力し、
上記駆動手段は、上記輝度制御信号に基づいて上記輝度信号を制御し、制御された輝度信号に基づいて上記表示パネルを駆動して、上記表示パネルに表示されている画像の輝度を制御すること
を特徴とする画像表示装置。
【請求項２】
上記輝度制御信号出力手段の後段に、上記輝度制御信号出力手段から出力された輝度制御信号の時定数を変化させる時定数変化手段を備え、
上記駆動手段は、上記時定数変化手段によって時定数が変化された輝度制御信号に基づいて、上記輝度信号を制御すること
を特徴とする請求項１記載の画像表示装置。
【請求項３】
表示パネルを駆動して、上記表示パネルに画像を表示させる駆動装置であって、
画像信号に基づいて上記表示パネルを駆動して、上記表示パネルに画像を表示させる駆動手段と、
上記駆動手段に供給された１画面分の画像信号に含まれる輝度信号の平均値である輝度データを生成する輝度データ生成手段と、
上記輝度データ生成部によって生成された輝度データの信号レベルの微小変動を検出する微小変動検出手段と、
上記輝度データ生成手段によって生成された輝度データに基づいて、上記輝度信号を制御する輝度制御信号を生成する輝度制御信号生成手段と、
上記輝度制御信号生成手段によって生成された輝度制御信号の出力を制御する輝度制御信号出力制御手段とを備え、
上記輝度制御信号出力制御手段は、上記輝度制御信号生成手段が、上記表示パネルに対する画像の表示が開始とされてからｎ（但し、ｎは自然数。）回目に上記輝度データを作成したときに、上記微小変動検出手段によって輝度データの信号レベルの微小変動が検出されない場合には、上記輝度制御信号生成手段がｎ回目に生成した輝度制御信号を出力するとともに、上記微小変動検出手段によって輝度データの信号レベルの微小変動が検出された場合には、当該輝度制御信号出力制御手段が（ｎ−１）回目に出力した輝度制御信号を出力し、
上記駆動手段は、上記輝度制御信号に基づいて上記輝度信号を制御し、得られた輝度信号に基づいて上記表示パネルを駆動して、上記表示パネルに表示されている画像の輝度を制御すること
を特徴とする駆動装置。
【請求項４】
上記輝度制御信号出力手段の後段に、上記輝度制御信号出力手段から出力された輝度制御信号の時定数を変化させる時定数変化手段を備え、
上記駆動手段は、上記時定数変化手段によって時定数が変化された輝度制御信号に基づいて、上記輝度信号を制御すること
を特徴とする請求項３記載の駆動装置。
【発明の詳細な説明】
【技術分野】
【０００１】
本発明は、画像を表示する表示パネルを備えた画像表示装置、及び表示パネルを駆動して表示パネルに画像を表示させる駆動装置に関し、詳しくは、表示パネルに表示されている画像の輝度を制御する画像表示装置及び駆動装置に関する。
【背景技術】
【０００２】
近年広く普及しているプラズマディスプレイなどの表示パネルに画像を表示する画像表示装置では、消費電力を低減するなどの目的を達成するために、表示する画像の輝度を制御している。
【０００３】
このような画像表示装置としては、例えば、図７に示す画像表示装置１００が挙げられる。画像表示装置１００では、先ず、画像信号処理部１０１が、例えば記録媒体から読み出すことなどによって得られた画像信号に、伸張や誤り訂正などの処理を施す。
【０００４】
次に、表示部１０２が、画像信号処理部１０１によって処理された画像信号に基づいて表示パネル１０３に画像を表示する。また、表示部１０２は、供給された１画面分の画像信号に含まれる輝度信号の平均値（以下、輝度データという。）Ｓ１０１を検出して、ルックアップテーブル１０４に供給する。
【０００５】
次に、ルックアップテーブル１０４は、供給された輝度データＳ１０１を、輝度信号を制御する輝度制御信号Ｓ１０２に変換して、表示部１０２に供給する。そして、表示部１０２は、輝度制御信号Ｓ１０２によって制御された輝度信号に基づいて、画面に表示されている画像の輝度を制御する。
【０００６】
この輝度制御信号Ｓ１０２の信号レベルは、輝度データＳ１０１の微小変動やルックアップテーブル１０４の精度などが原因となって、微小変動してしまう。表示部１０２では、微小変動している輝度制御信号に基づいて輝度信号を制御すると、表示パネル１０３に表示される画像の輝度が小刻みに変動する。したがって、表示パネル１０３に表示された画像はちらつき（以下、フリッカーという。）が生じてしまい、質が低下してしまう。
【０００７】
以上説明したフリッカーを制御する方法として、図８に示すように、ルックアップテーブル１０４の後段に補正部１０５を設ける方法が提案されている（例えば、特許文献１参照。）。
【０００８】
補正部１０５は、ルックアップテーブル１０４から一定の期間毎に輝度制御信号Ｓ１０２が供給されるとともに、図示しないメモリなどから、第１設定値Ｓ１０３と第２設定値Ｓ１０４とが供給される（但し、Ｓ１０３＜Ｓ１０４）。そして、ルックアップテーブル１０４から輝度制御信号Ｓ１０２が供給されると、直前に供給された輝度制御信号Ｓ１０２との差ｄを求め、ｄに基づいて補正輝度制御信号Ｓ１０５を出力する。
【０００９】
補正輝度制御信号Ｓ１０５について詳述すると、補正部１０５は、ｄが第２設定値Ｓ１０４以上の場合にはルックアップテーブル１０４から供給された輝度制御信号Ｓ１０２をそのまま補正輝度制御信号Ｓ１０５として出力し、ｄが第１設定値Ｓ１０３以上第２設定値Ｓ１０４未満の場合にはルックアップテーブル１０４から供給された輝度制御信号Ｓ１０２に第１設定値Ｓ１０３を加算した信号を補正輝度制御信号Ｓ１０５として出力し、ｄが第１設定値Ｓ１０３未満であるときには出力を維持する。
【００１０】
そして、表示部１０２は、補正部１０５から出力された補正輝度制御信号Ｓ１０５に基づいて輝度を制御する。
【００１１】
したがって、輝度制御信号Ｓ１０２に第１設定値Ｓ１０３以下の微小変動が生じていた場合にも、補正輝度制御信号Ｓ１０５は微小変動が生じていない信号となる。そして、表示部１０２は、微小変動が生じていない補正輝度制御信号Ｓ１０５に基づいて輝度を制御することにより、フリッカーのない画像を表示することが可能となる。
【００１２】
しかしながら、以上説明した画像表示装置１００では、輝度制御信号Ｓ１０２が単調増加や単調減少をする場合にも、ｄが第２設定値Ｓ１０４以上の場合にはルックアップテーブル１０４から供給された輝度制御信号Ｓ１０２をそのまま補正輝度制御信号Ｓ１０５として出力し、ｄが第１設定値Ｓ１０３以上第２設定値Ｓ１０４未満の場合にはルックアップテーブル１０４から供給された輝度制御信号Ｓ１０２に第１設定値Ｓ１０３を加算した信号を補正輝度制御信号Ｓ１０５として出力し、ｄが第１設定値Ｓ１０３未満であるときには出力を維持するために、補正部１０５から出力される補正輝度制御信号Ｓ１０５は、信号レベルが段階的に変化してしまう。
【００１３】
例えば、ｄ＝１５とされている状態で、補正部１０５に対して、輝度制御信号Ｓ１０２が０から２５５まで単調増加した後に２５５から０まで単調減少する輝度制御信号Ｓ１０２が供給された場合には、補正部１０５から出力される補正輝度制御信号Ｓ１０５は、図９に示すように、０から２５５まで１５ずつ増加した後に、２５５から０まで１５ずつ減少し、信号レベルが段階的に変化してしまう。なお、図９は、横軸が輝度信号Ｓ１０１の信号レベルを示しており、縦軸が補正輝度制御信号Ｓ１０５の信号レベルを示している。
【００１４】
表示部１０２が、このような補正輝度制御信号Ｓ１０５によって制御された輝度信号に基づいて画像の輝度を制御すると、表示パネル１０３に表示される画像は輝度が段階的に変化してしまうために、輝度の変化点で、フリッカーが生じたり画像の輝度が急変するなどの不都合が生じる。したがって、表示パネル１０３に表示される画像は、画質が悪く、観察者にとって観にくいものとなる。
【００１５】
【特許文献１】特開２００３−２４４４８０号公報
【発明の開示】
【発明が解決しようとする課題】
【００１６】
本発明は、以上説明した従来の実情を鑑みて提案されたものであり、表示パネルに表示される画像の輝度を適切に制御することが可能であり、表示パネル上に、画質が良好で、観察者にとって観やすい画像を表示することが可能な画像表示装置、及び表示パネルの駆動方法を提供することを目的とする。
【課題を解決するための手段】
【００１７】
本発明に係る画像表示装置は、画像を表示する表示パネルと、画像信号に基づいて上記表示パネルを駆動して、上記表示パネルに画像を表示させる駆動手段と、上記駆動手段に供給された１画面分の画像信号に含まれる輝度信号の平均値である輝度データを生成する輝度データ生成手段と、上記輝度データ生成部によって生成された輝度データの信号レベルの微小変動を検出する微小変動検出手段と、上記輝度データ生成手段によって生成された輝度データに基づいて、上記輝度信号を制御する輝度制御信号を生成する輝度制御信号生成手段と、上記輝度制御信号生成手段によって生成された輝度制御信号の出力を制御する輝度制御信号出力制御手段とを備え、上記輝度制御信号出力制御手段は、上記輝度制御信号生成手段が、上記表示パネルに対する画像の表示が開始とされてからｎ（但し、ｎは自然数。）回目に上記輝度データを作成したときに、上記微小変動検出手段によって輝度データの信号レベルの微小変動が検出されない場合には、上記輝度制御信号生成手段がｎ回目に生成した輝度制御信号を出力し、上記微小変動検出手段によって輝度データの信号レベルの微小変動が検出された場合には、当該輝度制御信号出力制御手段が（ｎ−１）回目に出力した輝度制御信号を出力し、上記駆動手段は、上記輝度制御信号に基づいて上記輝度信号を制御し、制御された輝度信号に基づいて上記表示パネルを駆動して、上記表示パネルに表示されている画像の輝度を制御することを特徴とする。
【００１８】
また、本発明に係る駆動装置は、表示パネルを駆動して、上記表示パネルに画像を表示させる駆動装置であって、画像信号に基づいて上記表示パネルを駆動して、上記表示パネルに画像を表示させる駆動手段と、上記駆動手段に供給された１画面分の画像信号に含まれる輝度信号の平均値である輝度データを生成する輝度データ生成手段と、上記輝度データ生成部によって生成された輝度データの信号レベルの微小変動を検出する微小変動検出手段と、上記輝度データ生成手段によって生成された輝度データに基づいて、上記輝度信号を制御する輝度制御信号を生成する輝度制御信号生成手段と、上記輝度制御信号生成手段によって生成された輝度制御信号の出力を制御する輝度制御信号出力制御手段とを備え、上記輝度制御信号出力制御手段は、上記輝度制御信号生成手段が、上記表示パネルに対する画像の表示が開始とされてからｎ（但し、ｎは自然数。）回目に上記輝度データを作成したときに、上記微小変動検出手段によって輝度データの信号レベルの微小変動が検出されない場合には、上記輝度制御信号生成手段がｎ回目に生成した輝度制御信号を出力するとともに、上記微小変動検出手段によって輝度データの信号レベルの微小変動が検出された場合には、当該輝度制御信号出力制御手段が（ｎ−１）回目に出力した輝度制御信号を出力し、上記駆動手段は、上記輝度制御信号に基づいて上記輝度信号を制御し、得られた輝度信号に基づいて上記表示パネルを駆動して、上記表示パネルに表示されている画像の輝度を制御することを特徴とする。
【発明の効果】
【００１９】
本発明では、微小変動検出手段が、輝度データの信号レベルの微小変動を検出し、輝度制御信号出力制御手段が、上記微小変動検出手段によって輝度データの信号レベルの微小変動が検出されない場合には、上記輝度制御信号生成手段がｎ回目に生成した輝度制御信号を出力するとともに、上記微小変動検出手段によって輝度データの信号レベルの微小変動が検出された場合には、当該輝度制御信号出力制御手段が（ｎ−１）回目に出力した輝度制御信号を出力する。
【００２０】
したがって、本発明によれば、駆動手段に対して、微小変動がなく、また、輝度信号が単調増加している場合には単調増加して、単調減少している場合には単調減少する輝度制御信号が供給される。すなわち、本発明によれば、駆動手段に対して、信号レベルの微小変動や急激な変化が抑制された輝度制御信号が供給されるために、表示パネルに表示されている画像がちらつくことや、画像の輝度が急激に変化することなどを回避することができる。したがって、本発明によれば、表示パネルに対して、画質の良好な画像を表示することが可能となり、観察者にとって観やすい画像を表示することが可能となる。
【００２１】
また、本発明によれば、表示パネルに表示されている画像の輝度が急激に変化することを回避することができるために、表示パネルが急激に駆動されることがなくなり、表示パネルや駆動手段にかかる負担を低減することが可能となる。
【発明を実施するための最良の形態】
【００２２】
以下、本発明の実施の形態について、図面を参照しながら詳細に説明する。
【００２３】
図１に示すように、本発明を適用した画像表示装置１は、例えば記録媒体から読み出すことなどによって得られた画像信号に伸張や誤り訂正などの処理を施す画像信号処理部２と、画像信号処理部２から供給された画像信号に基づいて画像を表示する表示部３とを備える。また、画像表示装置１は、１画面分の画像信号に含まれる輝度信号の平均値である輝度データPSSが表示部３から供給されて、供給された輝度データPSSから輝度信号を制御するための信号である輝度制御信号PSSCを生成して、表示部３に供給する輝度制御信号出力部４とを備える。
【００２４】
表示部３は、画像が表示される表示パネル１１と、表示パネル１１を駆動する駆動回路１２と、画像信号に含まれる輝度信号から輝度データPSSを検出する輝度データ検出回路１３とを備える。
【００２５】
駆動回路１２は、画像信号処理部２で処理された画像信号に基づいて表示パネル１１を駆動して、画像を表示させる。また、輝度制御信号出力部４で生成された輝度制御信号PSSCによって制御された輝度信号に基づいて、表示パネル１１を駆動して、表示パネル１１に表示される画像の輝度を制御する。
【００２６】
輝度データ検出回路１３は、画像信号処理部２から供給される１画面分の画像信号に含まれる輝度信号の平均値である輝度データPSSを検出して出力する。本実施の形態では、輝度データ検出回路１３は、表示パネル１１に１画面分の画像が表示される毎に輝度データPSSを出力する。出力された輝度データPSSは、輝度制御信号出力部４に供給される。
【００２７】
輝度制御信号出力部４は、輝度データ検出回路１３によって生成された輝度データPSSに基づいて、輝度制御信号PSSCを生成する。また、輝度制御信号出力部４は、輝度データPSSに、極めて短い時間で生じる信号レベルの増加と極めて短時間で生じる信号レベルの減少との繰り返し（以下、微小変動という。）が生じているか否かを判断し、輝度データPSSに微小変動が生じていないと判断した場合には生成した輝度制御信号PSSCを出力し、輝度データPSSに微小変動が生じていると判断した場合には出力を維持する。
【００２８】
すなわち、輝度制御信号出力部４は、表示パネル１１に対する画像の表示が開始してから輝度制御信号PSSCをｎ（但し、ｎは自然数。）回生成した場合に、輝度データPSSに微小変動が生じていないと判断したときにはｎ回目に生成した輝度制御信号PSSCを出力し、輝度データPSSに微小変動が生じていると判断したときには（ｎ−１）回目に出力した輝度制御信号PSSCと同じ信号を、輝度制御信号PSSCとして出力する。
【００２９】
輝度制御信号出力部４は、輝度データ検出回路１３から出力された輝度データPSSが供給されるヒステリシス回路２１と、ヒステリシス回路２１から出力された信号に基づいて輝度制御信号PSSCを生成する輝度制御信号生成回路２２と、輝度制御信号生成回路２２から出力された輝度制御信号PSSCの時定数を変化させて、輝度データ検出回路１３に対して出力する時定数回路２３とを備える。
【００３０】
ヒステリシス回路２１は、不感指定値PLE_Hを設定する。不感指定値PLE_Hは、微小変動として判断される輝度データPSSの変化量の最大値であり、表示パネル１１の種類や表示パネル１１に表示される画像に応じて設定することが好ましい。ヒステリシス回路２１で設定された不感指定値PLE_Hに基づいて、輝度制御信号生成回路２２は、輝度データPSSに微小変動が生じてしているか否かを判断する。また、ヒステリシス回路２１は、輝度データ検出回路１３から供給される輝度データPSSが上昇しているか否かを判断する。
【００３１】
本実施の形態では、ヒステリシス回路２１は、輝度データPSSの信号レベルが上昇しているときには輝度データPSSに不感指定値PLE_Hを加算した信号である加算輝度データPSS'を出力し、輝度データPSSの信号レベルが上昇していないときには輝度データPSSをそのまま出力する。なお、以下では、ヒステリシス回路２１から出力された信号を、ヒステリシス信号PSS_selと称する。
【００３２】
輝度制御信号生成回路２２は、ヒステリシス信号PSS_selに基づいて輝度制御信号PSSCを生成して出力する。また、輝度制御信号生成回路２２は、輝度制御信号出力部４に供給される輝度データPSSに微小変動が生じているか否かを判断する。そして、微小変動が生じていないと判断したときには、当該輝度制御信号生成回路２２が生成した輝度制御信号PSSCを出力し、微小変動が生じていると判断したときには出力を維持する。すなわち、輝度制御信号生成回路２２は、輝度データPSSに微小変動が生じていると判断したときには、１画面前の画像に対する輝度制御信号PSSCと同じ信号を、輝度制御信号PSSCとして再度出力する。
【００３３】
具体的には、輝度制御信号生成回路２２は、輝度データPSSの変化量が不感指定値PLE_H未満であるときに、微小変動が生じていると判断して出力を維持し、輝度データPSSの変化量が不感指定値PLE_H以上であるときに、微小変動が生じていないと判断して、当該輝度制御信号生成回路２２が生成した輝度制御信号PSSCを出力する。
【００３４】
時定数回路２３は、輝度制御信号生成回路２２から出力された輝度制御信号PSSCの時定数を所定の時定数に変化させて、輝度制御信号PSSCの立ち上がりを緩やかにし、駆動回路１２に供給する。本実施の形態では、時定数回路２３には、図示しないメモリなどから時定数指定値が供給されており、輝度制御信号PSSCの時定数を、時定数指定値によって指定された時定数とする。時定数回路２３が供給された輝度制御信号PSSCの時定数を所定の時定数とすることによって、表示パネル１１に表示される画像の輝度が急変することを抑制することが可能となり、表示パネル１１にかかる負担を低減することができる。
【００３５】
本実施の形態では、時定数回路２３によって変化する時定数のオーダーは０．１ｍ秒程度であり、時定数回路２３によって時定数が変化することにより、輝度制御信号PSSCは、例えば信号レベルが０から２５５まで変化する場合には、図２に示すように、変化に要する時間が約１秒となる。なお、図２中横軸は輝度制御信号PSSCSが駆動回路１２に供給される時間を示しており、縦軸は輝度制御信号PSSCの値を示している。時定数回路２３は、例えばＩＩＲ（Infinite Impulse Response）フィルタによって構成される。
【００３６】
つぎに、本実施の形態のヒステリシス回路２１と、輝度制御信号生成回路２２との詳細な構成及び動作について詳細に説明する。
【００３７】
本実施の形態では、ヒステリシス回路２１は、図３に示すように、輝度データ検出回路１３から出力された輝度データPSS並びに垂直同期信号VSが供給されるメモリ３１と、輝度データ検出回路１３から出力された輝度データPSS並びにメモリ３１に記憶されている信号が供給され、輝度データPSSの信号レベルが上昇しているか否かを示す判断信号JSを出力する上昇判断回路３２と、輝度データ検出回路１３から供給された輝度データPSSと図示しないメモリなどから供給された不感指定値PLE_Hとを加算して得られた加算輝度データPSS'を出力する加算器３３と、輝度データ検出回路１３から出力された輝度データPSS、加算器３３から出力された加算輝度データPSS'、及び上昇判断回路３２から出力された判断信号JSが供給され、供給された信号に基づいてヒステリシス信号PSS_selを出力するセレクタ３４とを備える。
【００３８】
メモリ３１は、輝度データ検出回路１３から供給された輝度データPSSと、垂直同期信号VSとが供給される。メモリ３１は、輝度データ検出回路１３から供給された輝度データPSSを記憶する。また、メモリ３１は、垂直同期信号VSが供給されるタイミングで、記憶されている輝度データPSSと同じ信号、すなわち、１画面前の輝度信号の輝度データ（以下、前画面輝度データという。）PSS_pを、上昇判断回路３２に供給する。
【００３９】
上昇判断回路３２は、輝度データ検出回路１３から出力された輝度データPSSと、メモリ３１から出力された前画面輝度データPSS_pとを比較して、輝度データPSSの信号レベルが上昇しているか否かを判断し、判断した結果を示す判断信号JSを、セレクタ３４及び輝度制御信号生成回路２２に供給する。
【００４０】
セレクタ３４は、上昇判断回路３２から供給された判断信号JSの内容に応じて、輝度データ検出回路１３から供給された輝度データPSS又は加算器３３から供給された加算輝度データPSS'のうち一方を、ヒステリシス信号PSS_selとして輝度制御信号生成回路２２に対して供給する。
【００４１】
詳述すると、上昇判断回路３２によって輝度データPSSの信号レベルが上昇していると判断された場合には、加算器３３から供給された加算輝度データPSS'をヒステリシス信号PSS_selとして出力し、上昇判断回路３２によって輝度データPSSの信号レベルが上昇していないと判断された場合には、輝度データ検出回路１３から供給された輝度データPSSをヒステリシス信号PSS_selとして出力する。
【００４２】
セレクタ３４が以上説明した方法によって輝度制御信号生成回路２２に対して出力する信号を選択することにより、不感指定値PLE_Hが設定される。
【００４３】
輝度制御信号生成回路２２は、セレクタ３４から出力されたヒステリシス信号PSS_selを補正前輝度制御信号PSSC_selに変換するルックアップテーブル４１を備える。また、輝度制御信号生成回路２２は、ルックアップテーブル４１から供給された補正前輝度制御信号PSSC_selと、１画面前の画像に対して出力された輝度制御信号PSSCと同じ信号である前画像輝度制御信号PSSC_pとのうち一方を、輝度制御信号PSSCとして出力する出力制御回路４２を備える。また、輝度制御信号生成回路２２は、出力制御回路４２から出力された輝度制御信号PSSCを記憶し、記憶している信号と同じ信号を前画面輝度制御信号PSSC_pとして出力制御回路４２に供給するメモリ４３を備える。
【００４４】
ルックアップテーブル４１は、セレクタ３４から供給されたヒステリシス信号PSS_selを補正前輝度制御信号PSSC_selに変換して、出力する。
【００４５】
ルックアップテーブル４１は、上昇用ルックアップテーブルカーブと下降用ルックアップテーブルカーブとを有する。ルックアップテーブル４１では、輝度データPSSの信号レベルが上昇している場合には、上昇用ルックアップテーブルカーブに従ってヒステリシス信号PSS_selを補正前輝度制御信号PSSC_selに変換し、輝度データPSSの信号レベルが下降している場合には、下降用ルックアップテーブルカーブに従ってヒステリシス信号PSS_selを補正前輝度制御信号PSSC_selに変換する。
【００４６】
上昇用ルックアップテーブルカーブに従って行われるヒステリシス信号PSS_selから補正前輝度制御信号PSSC_selへの変換と、下降用ルックアップテーブルカーブに従って行われるヒステリシス信号PSS_selから補正前輝度制御信号PSSC_selへの変換との関係は、図４に示す通りとなる。すなわち、ヒステリシス信号PSS_selの信号レベルを横軸とし、補正前輝度制御信号PSSC_selの信号レベルを縦軸とすると、上昇用ルックアップテーブルカーブに従って行われる変換を示す直線Ｌ１は、下降用ルックアップテーブルカーブに従って行われる変換を示す直線Ｌ２を、ヒステリシス信号PSS_selの増加方向に沿って不感指定値PLE_H分だけ平行移動させた直線となる。
【００４７】
出力制御回路４２は、上昇判断回路３２から供給される判断信号JSの内容と、ルックアップテーブル４１から供給される補正前輝度制御信号PSSC_selと、メモリ４３から供給された前画面輝度制御信号PSSC_pとの関係に基づいて、輝度データPSSに微小変動が生じているか否かを判断し、微小変動が生じている場合には前画面輝度制御信号PSSC_pを輝度制御信号PSSCとして出力し、微小変動が生じていない場合には補正前輝度制御信号PSSC_selを輝度制御信号PSSCとして出力する。出力された輝度制御信号PSSCは、時定数回路２３と、メモリ４３とに供給される。
【００４８】
メモリ４３は、出力制御回路４２から出力された輝度制御信号PSSCと、垂直同期信号VSとが供給される。メモリ４３は、出力制御回路４２から出力された輝度制御信号PSSCを記憶し、１画面後の画像に対する輝度制御信号PSSCを生成するときに、記憶している信号と同じ信号を前画面輝度制御信号PSSC_pとして出力し、出力制御回路４２に対して供給する。また、メモリ４３は、垂直同期信号VSが供給されたタイミングで、前画面輝度制御信号PSSC_pを出力制御回路４２に供給する。
【００４９】
以上説明したヒステリシス回路２１及び輝度制御信号生成回路２２では、先ず、輝度データ検出回路１３から出力された輝度データPSSが、メモリ３１と、上昇判断回路３２と、加算器３３と、セレクタ３４とに供給される。また、加算器３３には、不感指定値PLE_Hが供給される。
【００５０】
メモリ３１は、供給された輝度データPSSを記憶する。また、メモリ３１は、垂直同期信号VSが供給されるタイミングで、前画面輝度データPSS_pを出力し、上昇判断回路３２に対して供給する。
【００５１】
次に、上昇判断回路３２は、輝度データ検出回路１３から供給された輝度データPSSとメモリ３１から供給された前画面輝度データPSS_pとを比較することにより、輝度データPSSの信号レベルが上昇しているか否かを判断して、判断結果を示す判断信号JSを生成して出力する。出力された判断信号JSは、セレクタ３４と出力制御回路４２とに供給される。
【００５２】
また、加算器３３は、輝度データPSSに不感指定値PLE_Hを加算することにより加算輝度データPSS'を生成して、セレクタ３４に供給する。
【００５３】
次に、セレクタ３４は、上昇判断回路３２から供給された判断信号JSの内容に応じて、輝度データPSS及び加算輝度データPSS'のうち一方をヒステリシス信号PSS_selとして出力する。詳述すると、輝度データPSSの信号レベルが上昇しているときには加算輝度データPSS'をヒステリシス信号PSS_selとして出力し、輝度データPSSの信号レベルが上昇していないときには輝度データPSSをヒステリシス信号PSS_selとして出力する。
【００５４】
次に、ルックアップテーブル４１が、セレクタ３４から供給されたヒステリシス信号PSS_selを変換して、得られた補正前輝度制御信号PSSC_selを出力する。
【００５５】
次に、出力制御回路４２が、上昇判断回路３２から供給された判断信号JSの内容と、ルックアップテーブル４１から供給された補正前輝度制御信号PSSC_selと、メモリ４３から供給された前画面輝度制御信号PSSC_pとに基づいて、補正前輝度制御信号PSSC_sel又は前画面輝度制御信号PSSC_pのうち一方を、輝度制御信号PSSCとして出力し、時定数回路２３とメモリ４３とに供給する。
【００５６】
詳述すると、出力制御回路４２は、図５に示すように、ステップＳＴ１で、上昇判断回路３２から供給された判断信号JSの内容に基づいて、輝度データPSSの信号レベルが上昇しているか否かを判断する。輝度データPSSの信号レベルが上昇しているときにはステップＳＴ２に進み、上昇していないときにはステップＳＴ５に進む。
【００５７】
ステップＳＴ２では、出力制御回路４２は、補正前輝度制御信号PSSC_selが前画面輝度制御信号PSSC_pより大か否かを判断する。補正前輝度制御信号PSSC_selが前画面輝度制御信号PSSC_pより大であるときにはステップＳＴ３に進み、また、補正前輝度制御信号PSSC_selが前画面輝度制御信号PSSC_p以下であるときにはステップＳＴ４に進む。
【００５８】
ステップＳＴ３では、出力制御回路４２は、補正前輝度制御信号PSSC_selを時定数変化前の輝度制御信号PSSCとして出力する。また、ステップＳＴ４では、出力制御回路４２は、前画面輝度制御信号PSSC_pを時定数変化前の輝度制御信号PSSCとして出力する。
【００５９】
また、ステップＳＴ５では、出力制御回路４２は、前画面輝度制御信号PSSC_pが補正前輝度制御信号PSSC_selより大か否かを判断する。前画面輝度制御信号PSSC_pが補正前輝度制御信号PSSC_selより大であるときにはステップＳＴ６に進み、また、前画面輝度制御信号PSSC_pが補正前輝度制御信号PSSC_sel以下であるときにはステップＳＴ７に進む。
【００６０】
ステップＳＴ６では、出力制御回路４２は、補正前輝度制御信号PSSC_selを輝度制御信号PSSCとして出力する。また、ステップＳＴ７では、出力制御回路４２は、前画面輝度制御信号PSSC_pを輝度制御信号PSSCとして出力する。
【００６１】
輝度制御信号出力部４が以上説明した動作を行うことにより、例えば輝度データPSSの信号レベルが上昇を続けて図４中ＰＳＳ３まで上昇したときには、輝度データPSSの信号レベルと補正前輝度制御信号PSSC_selの信号レベルとの関係は図４中点Ａに示す関係となる。この場合、ステップＳＴ１，ステップＳＴ２の後にステップＳＴ３に進むので、輝度制御信号PSSC＝補正前輝度制御信号PSSC_selとなり、輝度制御信号PSSCの信号レベルはＰＳＳＣ２となる。
【００６２】
次に、輝度データPSSの信号レベルが図４中ＰＳＳ２まで下降したときには、輝度データPSSの信号レベルと補正前輝度制御信号PSSC_selの信号レベルとの関係は点Ｂに示す関係となる。すなわち、前画面輝度制御信号PSSC_pの信号レベルはＰＳＳＣ２となり、補正前輝度制御信号PSSC_selの信号レベルはＰＳＳＣ３となる。
【００６３】
したがって、前画面輝度制御信号PSSC_pの信号レベルは、補正前輝度制御信号PSSC_selの信号レベル未満となるので、ステップＳＴ１，ステップＳＴ５の後にステップＳＴ７に進み、輝度制御信号PSSCの信号レベルは、前画面輝度制御信号PSSC_pの信号レベルとなる。すなわち、輝度データPSSの信号レベルと輝度制御信号PSSCの信号レベルとの関係は、点Ｃに示す関係となる。
【００６４】
また、例えば輝度データPSSの信号レベルが下降を続けて図４中ＰＳＳ１まで下降したときには、輝度データPSSの信号レベルと補正前輝度制御信号PSSC_selとの関係は点Ｄに示す関係となる。この場合、ステップＳＴ１，ステップＳＴ５の後にステップＳＴ６に進むので、輝度制御信号PSSCの信号レベルは補正前輝度制御信号PSSC_selとなり、輝度制御信号PSSCの信号レベルはＰＳＳＣ２となる。
【００６５】
次に、輝度データPSSの信号レベルが図４中ＰＳＳ２まで上昇したときには、輝度データPSSの信号レベルと補正前輝度制御信号PSSC_selの信号レベルとの関係は点Ｅに示す関係となる。すなわち、前画面輝度制御信号PSSC_pの信号レベルはＰＳＳＣ２となり、補正前輝度制御信号PSSC_selの信号レベルはＰＳＳＣ１となる。
【００６６】
したがって、前画面輝度制御信号PSSC_pの信号レベルは補正前輝度制御信号PSSC_selの信号レベルよりも大となるので、ステップＳＴ１，ステップＳＴ２の後にステップＳＴ４に進み、時定数変化前の輝度制御信号PSSCの信号レベルは前画面輝度制御信号PSSC_pの信号レベルとなる。すなわち、輝度データPSSの信号レベルと輝度制御信号PSSCの信号レベルとの関係は、点Ｃに示す関係となる。
【００６７】
つぎに、輝度制御信号出力部４の動作について、図６に示すように、輝度データPSSの信号レベルが上昇を続けた後に微小変動し、再度上昇する場合を例に挙げて説明する。
【００６８】
なお、図６の横軸は画像の表示が開始とされてから表示パネル１１に表示された１画面分の画像の数を示しており、縦軸は信号レベルを示している。また、図６中曲線Ｈは輝度データPSSの変化を示しており、曲線Ｉは曲線Ｈで示される輝度データPSSが上昇用ルックアップテーブルカーブに従って変換されたときの補正前輝度制御信号PSSC_selの変化を示しており、曲線Ｊは曲線Ｈで示される輝度データPSSが下降用ルックアップテーブルカーブに従って変換されたときの補正前輝度制御信号PSSC_selの変化を示しており、曲線Ｋは実際に出力制御回路４２から出力される輝度制御信号PSSCの変化を示している。
【００６９】
この場合には、先ず、輝度データPSSが、図６中Ｐ１で示す点まで上昇を続け、信号レベルが１２となるまで上昇する。輝度データPSSの信号レベルは上昇しているので、輝度データPSSは上昇用ルックアップテーブルカーブに従って変換され、補正前輝度制御信号PSSC_selの信号レベルは１０となる。すなわち、ステップＳＴ１，ステップＳＴ２の後にステップＳＴ３に進むので、輝度制御信号PSSCの信号レベルは１０となる。
【００７０】
次に、輝度データPSSが図６中Ｐ２に示す点に下降し、信号レベルは１０．５となる。輝度データPSSの信号レベルは下降しているので、輝度データPSSは下降用ルックアップテーブルカーブに従って変換され、補正前輝度制御信号PSSC_selの信号レベルは８．５となる。また、前画面輝度制御信号PSSC_pの信号レベルは１０となる。すなわち、ステップＳＴ１，ステップＳＴ５の後にステップＳＴ７に進み、輝度制御信号PSSCの信号レベルは前画面輝度制御信号PSSC_pの信号レベルとなるので、輝度制御信号PSSCの信号レベルは１０となる。
【００７１】
次に、輝度データPSSが図６中Ｐ３に示す点に上昇し、信号レベルは１１となる。輝度データPSSの信号レベルは上昇しているので、輝度データPSSは上昇用ルックアップテーブルカーブに従って変換され、補正前輝度制御信号PSSC_selの信号レベルは１１となる。また、前画面輝度制御信号PSSC_pの信号レベルは１０となる。すなわち、ステップＳＴ１，ステップＳＴ２の後にステップＳＴ４に進み、輝度制御信号PSSCの信号レベルは前画面輝度制御信号PSSC_pの信号レベルとなるので、輝度制御信号PSSCの信号レベルは１０となる。
【００７２】
出力制御回路４２が以上説明した動作を行うことにより、図６中曲線Ｈで示す輝度データPSSがヒステリシス回路２１に供給されたときに、出力制御回路４２から出力される輝度制御信号PSSCは、図６中曲線Ｋに示すように微小変動が除去された信号となる。
【００７３】
以上説明したように、本発明を適用した画像表示装置１では、輝度制御信号生成回路２２が、輝度データPSSに生じている変動が不感指定値PLE_H以上であるときにはルックアップテーブル４１によって変換された補正前輝度制御信号PSSC_selを輝度制御信号PSSCとして出力して時定数回路２３に供給し、輝度データPSSに生じている変動が不感指定値PLE_H未満であるときにはメモリ４３に記憶されている前画面輝度制御信号PSSC_pを輝度制御信号PSSCとして出力する。
【００７４】
すなわち、本発明を適用した画像表示装置１では、輝度データPSSに微小変動が生じている場合には、輝度制御信号生成回路２２が前画面輝度制御信号PSSC_pを輝度制御信号PSSCとして出力し、微小変動が生じていない場合には、輝度制御信号生成回路２２がルックアップテーブル４１によって変換された補正前輝度制御信号PSSC_selを輝度制御信号PSSCとして出力して時定数回路２３に供給する。そして、時定数回路２３が、輝度制御信号PSSCの時定数を変化させた後に、輝度制御信号PSSCを駆動回路１２に供給している。
【００７５】
したがって、本発明を適用した画像表示装置１では、駆動回路１２に供給される輝度制御信号PSSCは、微小変動が除去されており、且つ輝度信号が単調増加する場合には単調増加し、輝度信号が単調減少する場合には単調減少するものとなる。本発明に係る画像表示装置１は、このような輝度制御信号PSSCに基づいて表示パネル１１を駆動するために、表示パネル１１に表示されている画像がちらつくことや、画像の輝度が急変することなどを抑制することが可能となり、表示パネル１１に画質が良好な画像を表示することが可能となる。また、観察者にとって観やすい画像を表示パネル１１に表示することが可能となる。また、画像の輝度が急変して表示パネル１１が急激に駆動されることにより、駆動回路１２や表示パネル１１にかかる負担が大きくなるなどの不都合を回避することも可能となる。
【図面の簡単な説明】
【００７６】
【図１】本発明を適用した画像表示装置を示すブロック図である。
【図２】時定数が付加された輝度制御信号の立ち上がりを示す図である。
【図３】ヒステリシス部と変換部の内部を詳細に示すブロック図である。
【図４】輝度制御信号生成部に入力された輝度信号と、輝度制御信号生成部から出力された輝度制御信号との関係を示す図である。
【図５】出力制御部の動作を示すフローチャートである。
【図６】輝度制御信号出力部に供給される輝度データと時定数変化前の輝度制御信号との関係の一例を示す図である。
【図７】従来の画像表示装置を示すブロック図である。
【図８】ルックアップテーブルの後段に補正部を設けた従来の画像表示装置を示すブロック図である。
【図９】同画像表示装置の輝度制御信号生成部に単調増加又は単調減少する輝度信号が供給されたときに輝度制御信号生成部から出力される輝度制御信号を示す図である。
【符号の説明】
【００７７】
１  画像表示装置、２  画像信号処理部、３  表示部、４  輝度制御信号出力部、１１  表示パネル、１２  駆動回路、１３  輝度データ検出回路、２１  ヒステリシス回路、２２  輝度制御信号生成回路、２３  時定数回路、３１  メモリ、３２  上昇判断回路、３３  加算器、３４  セレクタ、４１  ルックアップテーブル、４２  出力制御回路、４３  メモリ
【図１】
2005234378.tif 000003
【図２】
2005234378.tif 000004
【図３】
2005234378.tif 000005
【図４】
2005234378.tif 000006
【図５】
2005234378.tif 000007
【図６】
2005234378.tif 000008
【図７】
2005234378.tif 000009
【図８】
2005234378.tif 000010
【図９】
2005234378.tif 000011